(57)【特許請求の範囲】
【請求項１】
規則的若しくは不規則な凹凸面、粗面、その他、接触衝突した洗浄液が反射乃至乱反射するようにした反射面を形成した上下の反射板を、反射面同志を相対し、両面間に網状体等を挿置する空間をおいて備え、
上記空間内に網状体等を挿置すると共に、同空間内に洗浄液を流入し、該洗浄液が上下の反射板の反射面に当たって発生する反射乃至乱反射若しくは乱流を網状体等３に衝突させることによって網状体等を洗浄するように備えた、
網状体等の洗浄装置。
【請求項２】
網状体等の上下面の両方の反射板の反射面を相対して備えるか、若しくは、網状体等の上下面の一方に反射板の反射面を相対して備え、他方には平面板を相対して備えるようにした、
請求項１の網状体等の洗浄装置。
【請求項３】
反射板間に網状体等を挿置すると共に洗浄液を入れて備え、反射板を振動することによって、反射板間に洗浄液の反射乃至乱反射若しくは乱流を惹起して網状体等を洗浄するように備えた、
請求項１の網状体等の洗浄装置。
【請求項４】
反射板間に網状体等を挿置したものを、洗浄液槽の液中に浸漬し、該反射板を振動することによって、反射板間に洗浄液の反射乃至乱反射若しくは乱流を惹起して網状体等を洗浄するように備えた、
請求項１の網状体等の洗浄装置。
【請求項５】
設定角度宛ステップ回転するターンテーブルの設定角度毎に網状体等の供給部、上下空間をおいて相対した反射板と高圧水の噴射ノズルを備えた洗浄部、及び、洗浄済みの網状体等の取出し部を備えてなる網状体等のターンテーブル式洗浄装置であり、
供給部に供給した網状体等をステップ回転で洗浄部の反射板間へ送給し、高圧水を噴射ノズルで反射板間に噴射入して発生した反射乃至乱反射若しくは乱流で網状体等を洗浄し、複数の洗浄部で洗浄した網状体等を取出し部へ送給して、該取出し部から洗浄済みの網状体等を取出すように備えた、
網状体等のターンテーブル式洗浄装置。
【発明の詳細な説明】
【０００１】
【発明の属する技術分野】
本発明は、工場等の油汚れした各種の金網、孔あき板、格子状物や焼肉料理店の焼肉用の金網、格子、その他、通常の洗浄手段では洗浄効率が悪いもの（網状体等）を、本発明の上下相対した反射板の反射面間に挿置し、該反射面間に加圧流入した水等の洗浄液が反射面に衝突して発生する反射乃至乱反射若しくは乱流によって、極めて効率的に洗浄するようにした、網状体等の洗浄装置に係るものである。
【０００２】
【従来の課題】
上記の工場等の油汚れした各種の金網、孔あき板、格子状物や焼肉料理店の焼肉用の金網、格子、その他、金属、プラスチック、木、竹、布等製の網、孔あき板、格子、すのこ等からなる板状、箱状、筒状など任意形状のもの（以下、これらを総称して網状体等と記す）を洗浄する場合、該網状体等に洗浄液（水、各種油、化学洗剤、化学溶剤等）をかけても洗浄液の衝突面積が極めて小さいため、洗浄液の大部分は網目、孔等を空過してしまって洗浄力を発揮できない。
【０００３】
その上、金属線を編んで形成した金網などは線材が複雑に捻じれからまっているため一層洗浄効率が悪いものであった。
【０００４】
そこで、従来は網状体等を洗浄液に浸漬するか若しくは洗浄液を塗布して設定時間放置したのち、汚れが網状体等から遊離した頃を見計らって洗浄するようにしており、２度手間、時間、洗浄使用量等を要して、非効率的かつ不経済であった。
【０００５】
【発明が開発した新規な技術】
そこで、本発明は、水その他の液体状の洗浄液をある程度付勢して面に衝突させると弾き返る、つまり光線と同じように反射する。
従って、規則的な若しくは不規則な凹凸面、粗面等の面、つまり反射面に洗浄液を衝突させれば、当然四方八方に反射乃至乱反射することに着目し、
【０００６】
洗浄液を上下相対した反射面に衝突させて反射乃至乱反射させ、その洗浄液の反射乃至乱反射を、上下相対した反射面間においた網状体等に衝突させることによって、該網状体等を効果的に洗浄する技術を開発したものである。
【０００７】
【課題を解決する手段】
即ち、本発明は、規則的若しくは不規則な凹凸面、粗面、その他、接触衝突した洗浄液が反射乃至乱反射するようにした反射面を形成した上下の反射板を、反射面同志を相対し、両面間に網状体等を挿置する空間をおいて備え、上記空間内に網状体等を挿置すると共に、同空間内に洗浄液を流入し、該洗浄液が上下の反射板の反射面に当たって発生する反射乃至乱反射若しくは乱流を網状体等３に衝突させることによって、網状体等を洗浄するように備えた、網状体等の洗浄装置によって課題を解決したものである。
【０００８】
【実施例１】
上記の本発明装置の実施例を説明する。（図１）
規則的若しくは不規則な凹凸面若しくは粗面からなる反射面１を形成した上下の反射板２を、反射面１同志を相対し、両面１、１間に網状体等３を挿置する空間５をおいて備え、上記空間５内に網状体等４を挿置すると共に、同空間５内に洗浄液４を流入し、該洗浄液４が上下の反射板２、２の反射面１、１に当たって発生する反射乃至乱反射若しくは乱流を網状体等３に衝突させることによって、網状体等４を洗浄するように備えた、網状体等の洗浄装置である。
【０００９】
なお、本発明は、網状体等３の上下面の両方の反射板２、２の反射面１、１を相対して備えるか、若しくは、網状体等３の上下面の一方に反射板２の反射面１を相対して備え、他方には平面板を相対して備えるようにしたものも含むものである。
【００１０】
本発明において、網状体等３は、例えば、金属、プラスチック、木、竹、布等製の網、孔あき板、格子、すのこ等からなる板状、箱状、筒状など任意形状の被洗浄物であり、
【００１１】
洗浄液は、例えば、水、各種油、化学洗剤、化学溶剤等の液状のものである。
【００１２】
【実施例２】
図２〜図３に示す実施例につき説明すると、
上下の反射板２、２間に網状体等３を挿置すると共に洗浄液４を入れて備え、反射板２、２の全体を振動することによって、上下の反射板２、２の反射面１、１間に洗浄液４の反射乃至乱反射若しくは乱流を惹起して網状体等３を洗浄するように備えた、網状体等の洗浄装置であり、
【００１３】
若しくは、上下の反射板２、２間に網状体等３を挿置したものを、洗浄液槽６の液中に浸漬し、該反射板２、２を振動することによって、反射板２、２間に洗浄液４の反射乃至乱反射若しくは乱流を惹起して網状体等３を洗浄するように備えた、網状体等の洗浄装置である。
【００１４】
【課題を解決する手段】
「ターンテーブル式洗浄装置」
また、本発明は、設定角度宛ステップ回転するターンテーブルの設定角度毎に網状体等の供給部、上下空間をおいて相対した反射板と高圧水の噴射ノズルを備えた洗浄部、及び、洗浄済みの網状体等の取出し部を備えてなる網状体等のターンテーブル式洗浄装置であり、
【００１５】
供給部に供給した網状体等をステップ回転で洗浄部の反射板間へ送給し、高圧水を噴射ノズルで反射板間に噴射入して発生した反射乃至乱反射若しくは乱流で網状体等を洗浄し、複数の洗浄部で洗浄した網状体等を取出し部へ送給して、該部から洗浄済みの網状体等を取出すように備えた、網状体等のターンテーブル式洗浄装置によって課題を解決したものである。
【００１６】
【実施例３】
上記ターンテーブル式洗浄装置の実施例を図４につき説明すると、
設定角度宛ステップ回転するターンテーブル７の設定角度毎に網状体等３の供給部８、上下空間をおいて相対した反射板２、２と高圧水の噴射ノズル９を備えた洗浄部１０、及び、洗浄済みの網状体等３の取出し部１１を備えてなる網状体等のターンテーブル式洗浄装置であり、
【００１７】
供給部８に供給した網状体等３をステップ回転で洗浄部１０の反射板２、２間へ送給し、高圧水を噴射ノズル９で上下の反射板２、２の反射面１、１間に噴射入して発生した反射乃至乱反射若しくは乱流で網状体等３を洗浄し、複数の洗浄部１０で洗浄した網状体等３を取出し部１１へ送給して、該部１１から洗浄済みの網状体等３を取出すように備えた、網状体等のターンテーブル式洗浄装置である。
【００１８】
【作用、効果】
上下の反射板２、２の反射面１、１を相対した空間５内に網状体３、例えば金網、孔あき板等を挿置し、例えば高圧温水等の洗浄液４を噴射ノズル等から空間５内に噴射入すると、洗浄液４は上下の反射面１、１に衝突して四方八方、あらゆる方向へ反射乃至乱反射して、網状体等４の表裏全面、編み目などに万遍なく強く衝突して効果的に洗浄する。
【００１９】
また、洗浄液４は反射乃至乱反射し乍ら若しくは乱流となって流出部の方へ奔流するので、それが網状体４の表裏全面、編み目などに万遍なく強く衝突して洗浄する。
従って、金網、孔あき板、その他、従来の洗浄手段では非効率であった網状体等の洗浄を極めて効率的になし得る多大の効果がある。
【００２０】
また、空間５内に洗浄液４を満し、網状体等３を挿置した反射板２２を、適宜手段で振動すると、上下の反射面１、１に接触している洗浄液４が反射乃至乱反射して網状体等３の表裏全面に万遍なく衝突すると共に、網状体等も同時に振動するため、極めて効果的に洗浄し得る効果がある。
【００２１】
ターンテーブル式洗浄装置は網状体等３、例えば焼肉料理店の汚れた焼網を供給部８へ次々と投入しておくだけで、各洗浄部１０で自動的かつ効率的に洗浄して、取出し部１１から取出して直ちに使用できるので、従来設定時間洗剤に浸したのち、手洗いしていたのに比し、格段に短時間で、格段に綺麗に洗浄できる優れた特徴がある。
【図面の簡単な説明】
【図１】本発明洗浄装置の実施例の一部拡大断面図。
【図２】本発明振動式洗浄装置の実施例の断面図。
【図３】本発明振動式洗浄装置の実施例の断面図。
【図４】本発明ターンテーブル式洗浄装置の実施例の説明平面図。
【符号の説明】
１  反射面
２  反射板
３  網状体等
４  洗浄液
５  空間
６  洗浄液槽
７  ターンテーブル
８  供給部
９  噴射ノズル
１０  洗浄部
１１  取出し部
【図１】
0004288431.tif 000002
【図２】
0004288431.tif 000003
【図３】
0004288431.tif 000004
【図４】
0004288431.tif 000005